(57)【要約】【課題】ラジエータと冷却ファンの配置上の制約を受け難く、ラジエータの冷却効率も低下し難い収穫機を提供する。【解決手段】収穫物を収穫する収穫前処理装置を機体前方側に有する走行機体と、エンジン出力軸４ｂを機体横方向に沿わせて機体横一側方に配備してあるエンジン４と、エンジン４のラジエータ２５と、ラジエータ２５を冷却する冷却ファン２６と、を備え、ラジエータ２５と冷却ファン２６とを、平面視でエンジン４の上方で重複する位置に配備してある。【選択図】図１０
2013188143.tif 000002
【特許請求の範囲】
【請求項１】
収穫物を収穫する収穫前処理装置を機体前方側に有する走行機体と、
エンジン出力軸を機体横方向に沿わせて機体横一側方に配備してあるエンジンと、
前記エンジンのラジエータと、
前記ラジエータを冷却する冷却ファンと、を備えた収穫機であって、
前記ラジエータと前記冷却ファンとを、平面視で前記エンジンの上方で重複する位置に配備してある収穫機。
【請求項２】
前記ラジエータと前記冷却ファンとを、前記エンジンの機体横方向における中心位置よりも機体横外側の位置に配備してある請求項１記載の収穫機。
【請求項３】
前記エンジンのマフラーを、前記エンジンの上方で重複する位置であって、前記エンジンの機体横方向における中心位置よりも機体内方側の位置に配備してある請求項２記載の収穫機。
【請求項４】
前記冷却ファンを、その回転軸芯を機体横方向に沿わせて配備してある請求項１〜３のいずれか１項記載の収穫機。
【請求項５】
前記冷却ファンは機体横方向に沿うファン駆動軸を有し、
前記エンジン出力軸の回転動力が伝達される伝動軸を、前記エンジンの機体前方側又は機体後方側に前記ファン駆動軸と平行に回転自在に支持し、
前記伝動軸と一体回転する伝動回転体と、前記ファン駆動軸と一体回転する入力回転体とに亘って無端回動体を巻き掛けて、前記回転動力を前記ファン駆動軸に伝達可能に構成してある請求項１〜４のいずれか１項記載の収穫機。
【請求項６】
前記ラジエータよりも機体横外側に防塵網を配置し、前記ラジエータよりも機体内方側に前記冷却ファンを配置してある請求項１〜５のいずれか１項記載の収穫機。
【請求項７】
前記収穫前処理装置で収穫された収穫物を受け取って機体後方側に向けて搬送するフィーダを、機体幅方向の中央部に沿って機体後方側ほど高くなる姿勢で装備してあり、
前記フィーダの下側に前記エンジンの一部を入り込ませてある請求項１〜６のいずれか１項記載の収穫機。
【請求項８】
前記エンジンと前記ラジエータと前記冷却ファンとが組み込まれたエンジンユニットを、前記走行機体に組み付けてある請求項１〜７のいずれか１項記載の収穫機。
【請求項９】
前記エンジンに供給する燃焼用空気のクリーナを前記エンジンユニットに組み込んである請求項８記載の収穫機。
【請求項１０】
前記クリーナを、前記エンジンの機体前方側又は機体後方側の位置に配備されるように前記エンジンユニットに組み込んである請求項９記載の収穫機。
【請求項１１】
前記エンジンに供給する燃料のフィルタユニットを前記エンジンユニットに組み込んである請求項８〜１０のいずれか１項記載の収穫機。
【発明の詳細な説明】
【技術分野】
【０００１】
本発明は、収穫物を収穫する収穫前処理装置を機体前方側に有する走行機体と、エンジン出力軸を機体横方向に沿わせて機体横一側方に配備してあるエンジンと、前記エンジンのラジエータと、前記ラジエータを冷却する冷却ファンと、を備えた収穫機に関する。
【背景技術】
【０００２】
上記収穫機では、従来、ラジエータと冷却ファンとをエンジンと共に機体横方向に並べて配備してある（例えば、特許文献１参照）。
そして、収穫穀稈から舞い上がる塵埃などを多く含む外気が冷却ファンによって冷却風として吸引されないように、吸気口が冷却ファンよりも高い位置で開口するダクトを設けて、そのダクトを通過した外気が吸気口よりも低い位置の冷却ファンによって吸引されるように構成してある。
【先行技術文献】
【特許文献】
【０００３】
【特許文献１】特開２００７−１５１４４０号公報
【発明の概要】
【発明が解決しようとする課題】
【０００４】
上記従来の収穫機では、ラジエータと冷却ファンとをエンジンと共に機体幅方向に並べて配備してあるので、それらを配置するためのスペースをエンジンの機体幅方向横側に必要とし、配置上の制約を受け易いおそれがある。
また、吸気口が冷却ファンよりも高い位置で開口するダクトを設けて、そのダクトを通過した外気が吸気口よりも低い位置の冷却ファンによって吸引されるように構成してあるので、ダクト内における外気の通過方向の変化が大きくなって通気抵抗が増大し、ラジエータの冷却効率が低下し易いおそれがある。
本発明は上記実情に鑑みてなされたものであって、ラジエータと冷却ファンの配置上の制約を受け難く、ラジエータの冷却効率も低下し難い収穫機を提供することを目的とする。
【課題を解決するための手段】
【０００５】
本発明による収穫機の第１特徴構成は、収穫物を収穫する収穫前処理装置を機体前方側に有する走行機体と、エンジン出力軸を機体横方向に沿わせて機体横一側方に配備してあるエンジンと、前記エンジンのラジエータと、前記ラジエータを冷却する冷却ファンと、を備えた収穫機であって、前記ラジエータと前記冷却ファンとを、平面視で前記エンジンの上方で重複する位置に配備してある点にある。
【０００６】
本構成の収穫機は、ラジエータと冷却ファンとを平面視でエンジンの上方で重複する位置に配備してある。
このため、エンジンの上方空間を利用してラジエータと冷却ファンとを配置することができ、それらを配置するためのスペースをエンジンの機体幅方向横側に必要としない。
また、従来のような吸気口が冷却ファンよりも高い位置で開口するダクトを設けることなく、塵埃などが少ない高い位置の外気を冷却ファンに吸引させることができる。
したがって、本構成の収穫機であれば、ラジエータと冷却ファンの配置上の制約を受け難く、ラジエータの冷却効率も低下し難い。
【０００７】
本発明の第２特徴構成は、前記ラジエータと前記冷却ファンとを、前記エンジンの機体横方向における中心位置よりも機体横外側の位置に配備してある点にある。
【０００８】
本構成であれば、エンジンからの放熱による温度上昇が少ない外気を冷却ファンで吸引して、ラジエータを効率良く冷却することができる。
【０００９】
本発明の第３特徴構成は、前記エンジンのマフラーを、前記エンジンの上方で重複する位置であって、前記エンジンの機体横方向における中心位置よりも機体内方側の位置に配備してある点にある。
【００１０】
本構成であれば、エンジンの上方空間を利用しながら、ラジエータ及び冷却ファンの邪魔にならない位置にマフラーを配備することができる。
【００１１】
本発明の第４特徴構成は、前記冷却ファンを、その回転軸芯を機体横方向に沿わせて配備してある点にある。
【００１２】
本構成であれば、冷却ファンの冷却風をラジエータに対して機体横方向から吹き付けることができる。
【００１３】
本発明の第５特徴構成は、前記冷却ファンは機体横方向に沿うファン駆動軸を有し、前記エンジン出力軸の回転動力が伝達される伝動軸を、前記エンジンの機体前方側又は機体後方側に前記ファン駆動軸と平行に回転自在に支持し、前記伝動軸と一体回転する伝動回転体と、前記ファン駆動軸と一体回転する入力回転体とに亘って無端回動体を巻き掛けて、前記回転動力を前記ファン駆動軸に伝達可能に構成してある点にある。
【００１４】
本構成であれば、エンジン出力軸の回転動力を、エンジンの機体前方側又は機体後方側に支持した伝動軸を介してファン駆動軸に伝動することができるので、冷却ファンを機体横方向の所望の位置に配備し易い。
特に、冷却ファンをファン駆動軸が機体内方側に位置するように配備しながら、エンジン出力軸の回転動力をファン駆動軸に伝動することができるので、冷却ファンに対するメンテナンス作業を機体外方側から実施し易い。
【００１５】
本発明の第６特徴構成は、前記ラジエータよりも機体横外側に防塵網を配置し、前記ラジエータよりも機体内方側に前記冷却ファンを配置してある点にある。
【００１６】
本構成であれば、防塵網で除塵した機体横外側の外気がラジエータに吹き付けられるように冷却ファンを配備することができるので、ラジエータを効果的に冷却し易い。
【００１７】
本発明の第７特徴構成は、前記収穫前処理装置で収穫された収穫物を受け取って機体後方側に向けて搬送するフィーダを、機体幅方向の中央部に沿って機体後方側ほど高くなる姿勢で装備してあり、前記フィーダの下側に前記エンジンの一部を入り込ませてある点にある。
【００１８】
本構成であれば、機体幅方向の中央部に沿って機体後方側ほど高くなる姿勢で装備してあるフィーダの下側空間を活用して、その下側空間にエンジンの一部を入り込ませることができる。
したがって、収穫物を機体後方側に向けて搬送するフィーダを装備してある収穫機でありながら、エンジンの配置上の制約を受け難い。
【００１９】
本発明の第８特徴構成は、前記エンジンと前記ラジエータと前記冷却ファンとが組み込まれたエンジンユニットを、前記走行機体に組み付けてある
点にある。
【００２０】
本構成であれば、エンジンやラジエータや冷却ファンを走行機体に各別に組み付ける場合に比べて、それらの走行機体に対する組み付け手順を簡略化することができるので、組み付け作業の能率向上を図ることができる。
【００２１】
本発明の第９特徴構成は、前記エンジンに供給する燃焼用空気のクリーナを前記エンジンユニットに組み込んである点にある。
【００２２】
本構成であれば、予めエンジンユニットに組み込んだ燃焼用空気のクリーナを、エンジンと共に走行機体に対して作業性良く組み付けることができる。
【００２３】
本発明の第１０特徴構成は、前記クリーナを、前記エンジンの機体前方側又は機体後方側の位置に配備されるように前記エンジンユニットに組み込んである点にある。
【００２４】
本構成であれば、予めエンジンユニットに組み込んだクリーナを、エンジンの機体前方側又は機体後方側の位置に配備されるように、エンジンと共に走行機体に対して作業性良く組み付けることができる。
【００２５】
本発明の第１１特徴構成は、前記エンジンに供給する燃料のフィルタユニットを前記エンジンユニットに組み込んである点にある。
【００２６】
本構成であれば、予めエンジンユニットに組み込んだフィルタユニットを、エンジンと共に走行機体に対して作業性良く組み付けることができる。
【図面の簡単な説明】
【００２７】
【図１】とうもろこし収穫機の全体を示す左側面図である。
【図２】とうもろこし収穫機の全体を示す右側面図である。
【図３】とうもろこし収穫機の全体を示す平面図である。
【図４】とうもろこし収穫機の全体を示す正面図である。
【図５】機体フレームを示す平面図である。
【図６】機体フレームの前部を示す側面図である。
【図７】機体フレームの前部を示す正面図である。
【図８】（ａ）は嵌合部材の斜視図、（ｂ）は嵌合部材の側面図である。
【図９】エンジンユニットの機体横側から見た正面図である。
【図１０】エンジンユニットの機体前方側から見た側面図である。
【図１１】エンジンユニットの平面図である。
【図１２】収穫前処理装置の前部を示す平面図である。
【図１３】張力付与装置を示し、（ａ）は平面図、（ｂ）は側面図、（ｃ）は正面図である。
【図１４】収穫前処理装置の収穫ロール配設部を示す平面図である。
【図１５】収穫前処理装置の後部を示す平面図である。
【図１６】収穫前処理装置の後部を示す縦断側面図である。
【図１７】収穫前処理装置の接地支持状態を示す側面図である。
【図１８】フィーダを示す横断平面図である。
【図１９】フィーダの後部、排塵ファン装置及び処理装置を示す側面図である。
【図２０】フィーダの後部、排塵ファン装置及び処理装置を示す縦断側面図である。
【図２１】伝動系統図である。
【図２２】第２実施形態におけるフィーダの後部及び処理装置を示す側面図である。
【発明を実施するための形態】
【００２８】
以下に本発明の実施の形態を図面に基づいて説明する。
〔第１実施形態〕
図１〜図４は、本発明による収穫機の一例としてのとうもろこし収穫機を示す。
とうもろこし収穫機は、走行機体Ａと、走行機体Ａを構成している機体フレーム５の機体前方側に連結した収穫前処理装置Ｂと、収穫前処理装置Ｂの後部から走行機体Ａの上方に亘って設けたフィーダ６と、機体フレーム５の後部に配備した回収タンク７と、走行機体Ａの下部に配備した残稈処理装置Ｃとを備えている。
フィーダ６は、機体幅方向の中央部に沿って機体後方側ほど高くなる姿勢で装備してあり、収穫前処理装置Ｂで収穫された収穫物（とうもろこし）を受け取って機体後方側に向けて搬送する。
【００２９】
走行機体Ａは、左右一対の前車輪１、左右一対の後車輪２、機体前部に位置する運転キャビン３、運転キャビン３の後方に位置する原動部Ｅを有し、前車輪１を原動部Ｅに設けたエンジン４によって駆動して自走するように構成し、かつ後車輪２をパワーステアリング装置によって操向操作するように構成してある。
【００３０】
収穫前処理装置Ｂは、左右一対の油圧シリンダ８によって昇降軸芯Ｐまわりに上下に揺動操作され、収穫前処理装置Ｂの前端部に位置する接地ソリ９が地面に接地した下降作業姿勢と接地ソリ９が地面から高く上昇した上昇非作業姿勢とに昇降操作されるように構成してある。
【００３１】
とうもろこし収穫機は、収穫前処理装置Ｂを下降作業姿勢にした状態で走行機体Ａを走行させることにより、とうもろこしの収穫作業を行なう。具体的には、圃場に植立するとうもろこし植物体のうちの茎稈を圃場に植立状態で残しながら、とうもろこし植物体のうち、種子が棒状に連なって房になっている部位であるとうもろこしを収穫し、圃場に残った茎稈を残稈処理装置Ｃによって破砕処理する。
【００３２】
図５，図６に示すように、走行機体Ａの機体フレーム５は、左右一対の機体前後向きのメインフレーム１１と、左右一対のメインフレーム１１の前部に設けた左右一対の前側の支柱フレーム材１２ａを有した運転部フレーム１２とを備えている。
【００３３】
運転部フレーム１２は、左右一対のメインフレーム１１に立設した左右一対の前側の支柱フレーム材１２ａ及び左右一対の後側の支柱フレーム材１２ｂと、前後の支柱フレーム材１２ａ，１２ｂの上端部に連結された機体前後向きのキャビン支持フレーム１２ｃとを備えている。
左右一対の前側の支柱フレーム材１２ａから支持杆１２ｄを機体前方上方向きに延出してキャビン支持フレーム１２ｃの前端部に連結してある。
【００３４】
左右一対の前車輪１は、左右一対のメインフレーム１１に亘って連結された機体横向きの前輪支持フレーム１４に支持されている。
走行ミッション１５から伝動筒１５ａを介して伝達されるエンジン４の駆動力を遊星減速機構によって減速して前車輪１に伝達する。
走行ミッション１５は、フィーダ６の下方に配備されている。走行ミッション１５は、左右一対のメインフレーム１１に連結フレーム１１ｄを介して連結された支持体１５ｂに支持されている。
【００３５】
左右一対の後車輪２は、機体横向きの後輪支軸１９の端部に回転自在及び揺動操向自在に支持されている。
後輪支軸１９は、左右一対のメインフレーム１１から機体下方向きに延出する後輪支持フレーム１８の延出端部に機体前後向きのローリング軸芯Ｒまわりに上下揺動自在に支持されている。
左右一対の後車輪２は、機体フレーム５に対する後輪支軸１９のローリング軸芯Ｒまわりでの自由ローリングにより、機体フレーム５に対して背反的に揺動昇降する。後車輪２を操向操作するパワーステアリングシリンダ２０は、後輪支持フレーム１８に対して後輪支軸１９と一体に揺動するように後輪支軸１９に支持されている。
【００３６】
図１〜４に示すように、運転キャビン３は、フィーダ６の直上方に位置するよう配置されている。図１，２，４，６に示すように、運転キャビン３は、前車輪１の上方に位置する配置高さで運転部フレーム１２のキャビン支持フレーム１２ｃに支持されている。
運転キャビン３の出入り口の横外側に、乗降デッキ２１と乗降階段２２を設けてある。
乗降デッキ２１の機体後方側に、補助作業者搭乗デッキ２３を設けてある。
【００３７】
補助作業者搭乗デッキ２３は、前端が乗降デッキ２１の後端の近くに位置するよう配備してあり、補助作業者搭乗デッキ２３に対する乗り降りは、乗降デッキ２１及び乗降階段２２を利用して行うように構成してある。図１，３に示すように、補助作業者搭乗デッキ２３は、エンジン４用の燃料タンク２４の上方に配備してあり、燃料タンク２４の上方を覆うカバー機能を備えている。
【００３８】
燃料タンク２４は、前車輪１と後車輪２の間に３個、機体前後方向に並べて設けてある。図３に示すように、燃料タンク２４は、フィーダ６の機体横方向中心６ａに対してエンジン４が位置する機体横外側とは反対の機体横外側にずらせて配備してある。
【００３９】
図２，３，５，図９〜図１１に示すように、原動部Ｅは、エンジン４、エンジン４の機体横外側に設けたラジエータ２５、ラジエータ２５とエンジン４の間に設けた冷却ファン２６、及びラジエータ２５の機体横外側に設けた吸気ケース２７、オイルクーラ２８、吸気管３１に設けてあるエアクリーナ３０及びプレエアクリーナ３２、エンジン４の排気管に接続されたマフラー３８、等を備えている。
エンジン４は、エンジン出力軸４ａ，４ｂを機体横方向に沿わせて機体横一側方に配備してある。
【００４０】
原動部Ｅは、図９〜図１１に示すように、エンジン４、エンジン４のラジエータ２５、ラジエータ２５を冷却する冷却ファン２６、吸気ケース２７、オイルクーラ２８、エンジン４に供給する燃焼用空気のクリーナであるエアクリーナ３０及びプレエアクリーナ３２、エンジン４に供給する燃料のフィルタユニット２９、マフラー３８、等が枠体Ｕ１に予め組み込まれたエンジンユニットＵを機体フレーム５にボルト５ａで固定して装備してある。
【００４１】
エンジン４は、動力取り出し用出力軸４ａ及びファン駆動用出力軸４ｂを機体横方向に沿わせて機体横一側方（燃料タンク２４を配備してある側とは逆の側）に配備されるように、エンジンユニットＵに組み込んである。
エアクリーナ３０とプレエアクリーナ３２は、エンジン４の機体前方側の位置に配備されるようにエンジンユニットＵに組み込んである。なお、エアクリーナ３０及びプレエアクリーナ３２は、エンジン４の機体後方側の位置に配備されるようにエンジンユニットＵに組み込んであっても良い。
【００４２】
ラジエータ２５と冷却ファン２６及びマフラー３８は、冷却ファン２６の回転軸芯を機体横方向に沿わせて、図１０，１１に示すように平面視でエンジン４の上方で重複する位置に配備されるように、エンジンユニットＵに組み込んである。
エンジン４は、エンジンユニットＵのメインフレーム１１への組み付けによって、エンジン４の一部、つまり、動力取り出し用出力軸４ａの側がフィーダ６の下側に入り込むように、機体フレーム５に組み付けられている。
【００４３】
ラジエータ２５と冷却ファン２６は、エンジンユニットＵのメインフレーム１１への組み付けによって、エンジン４の機体横方向における中心位置よりも機体横外側の位置に配備されるように、エンジンユニットＵに組み込んである。
マフラー３８は、エンジンユニットＵのメインフレーム１１への組み付けによって、エンジン４の機体横方向における中心位置よりも機体内方側の位置、つまり、ラジエータ２５と冷却ファン２６の側とは逆の位置に配備されるように、エンジンユニットＵに組み込んである。
【００４４】
吸気ケース２７は、ラジエータ２５よりも機体横外側に配置した防塵網２７ａを有し、ラジエータ２５よりも機体内方側に冷却ファン２６を配置してある。
ラジエータ２５は、冷却ファン２６がエンジン４によって回転駆動されて吸気ケース２７の防塵網２７ａを通して吸引する冷却風によってラジエータ２５のエンジン冷却水を冷却する。
オイルクーラ２８は、防塵網２７ａとラジエータ２５との間に配備してあり、油圧シリンダ８などの油圧アクチュエータを駆動する作動油の冷却を行なう。
【００４５】
冷却ファン２６は、機体横方向に沿うファン駆動軸２６ａを機体内側に向けて突出するように有している。
ファン駆動用出力軸４ｂの回転動力が伝達されるファン駆動用伝動軸３３を、エンジン４の機体前方側にファン駆動軸２６ａと平行に回転自在に支持されるように、枠体Ｕ１に組み込んである。
なお、図示しないが、エンジン４の機体前方側に支持されるファン駆動用伝動軸３３に代えて、エンジン４の機体後方側に支持されるファン駆動用伝動軸３３を枠体Ｕ１に組み込んであってもよい。
【００４６】
ファン駆動用出力軸４ｂと一体回転する出力用回転体３３ａと、ファン駆動用伝動軸３３と一体回転する入力側伝動回転体３３ｂ及び入力側伝動回転体３３ｃと、ファン駆動軸２６ａと一体回転する入力回転体３３ｄとを設けてある。
これらの回転体３３ａ，３３ｂ，３３ｃ，３３ｄは、いずれもベルト巻き掛け用のプーリーで構成してある。
出力用回転体３３ａと入力側伝動回転体３３ｂとに亘って無端回動体としての出力用ベルト１６ａを巻き掛けると共に、入力側伝動回転体３３ｃと入力回転体３３ｄとに亘って無端回動体としての入力用ベルト１６ｂを巻き掛けて、ファン駆動用出力軸４ｂの回転動力をファン駆動軸２６ａに伝達可能に構成してある。
【００４７】
ファン駆動用伝動軸３３は、出力用ベルト１６ａ及び入力用ベルト１６ｂに張力を付与する張力付与機構Ｄを介して回転自在に支持されている。
張力付与機構Ｄは、図９，１０に示すように、ファン駆動用伝動軸３３の左右二箇所を回転自在に支持する平面視でコの字状の支持アームＤ１と、ファン駆動用伝動軸３３の軸芯と平行な軸芯周りで揺動自在にエンジンユニットＵの枠部材Ｕ２に支持された平面視でコの字状の揺動アームＤ２と、支持アームＤ１と揺動アームＤ２とをファン駆動用伝動軸３３の軸芯と平行な軸芯周りで互いに揺動自在に連結する揺動軸Ｄ３と、ファン駆動用伝動軸３３が支持アームＤ１と共に機体前方側に向けて揺動するように付勢する引っ張りスプリングＤ４とを備えている。
【００４８】
揺動軸Ｄ３は、支持アームＤ１に対して左右の端部に亘って一体に固定してあり、引っ張りスプリングＤ４は、揺動軸Ｄ３と支持枠Ｕ２に固定してある反力受け部材Ｕ３とに亘って、張力を調節自在に装着してある。
【００４９】
収穫前処理装置Ｂについて説明する。
図２，３，４に示すように、収穫前処理装置Ｂは、機体フレーム５の前部から昇降軸芯Ｐまわりに上下揺動自在に延出する前処理フレーム３５と、前処理フレーム３５の前部に設けた収穫部３６と、前処理フレーム３５の後部に設けた送出部３７とを備えている。
【００５０】
図５，１５，１６に示すように、前処理フレーム３５は、運転部フレーム１２における前側の一対の支柱フレーム材１２ａどうしを連結する横フレーム１２ｅと、横フレーム１２ｅに備えた左右一対の支持部４０（図５〜７参照）に後端部が回転自在に連結される左右一対の連結フレーム３７ａと、左右一対の連結フレーム３７ａの前端部に後端部が連結された収穫部フレーム４２とを備えている。
前処理フレーム３５は、走行機体Ａの前部に、左右一対の連結フレーム３７ａを連結する連結軸を昇降軸芯Ｐを有する支点軸４１として、その支点軸４１の周りで昇降揺動操作自在に連結してある。
【００５１】
左右一対の連結フレーム３７ａは、収穫部３６によって収穫された収穫物であるとうもろこしをフィーダ６に送り出す送出部３７を構成する送出部フレームになっている。収穫部フレーム４２の横幅は左右一対の連結フレーム３７ａ，３７ａの横外側面どうしでの間隔の長さより大に設定されている。
【００５２】
収穫部フレーム４２は、左右一対の連結フレーム３７ａの前端部に後面側が連結している後縦壁板４６ａを有した横送りフレーム部４６と、横送りフレーム部４６を構成する左右一対の横縦壁板４６ｂの前端部に架設され機体横向きの支持フレーム４７とを備えている。
【００５３】
送出部３７を構成する左右一対の連結フレーム（送出部フレーム）３７ａは、図１６に示すように、左右一対の連結フレーム３７ａの間に供給口４６ｄが位置するように、かつ収穫前処理装置Ｂの下降作業姿勢の状態において、左右一対の連結フレーム３７ａの間にフィーダ６の投入口７１が入り込むように配備してある。これにより、送出部３７は、収穫部３６の供給口４６ｄから供給されたとうもろこしをフィーダ６の投入口７１に送出する。
【００５４】
図１２，１４，１５に示すように、収穫部３６は、収穫部フレーム４２の前部に機体横方向に並べて支持した３つの収穫装置４３と、収穫部フレーム４２の後部に機体横向きに設けた横送りオーガ４４とを備えている。
【００５５】
３つの収穫装置４３の夫々は、収穫部フレーム４２の前部に機体横方向に並べて設けた６つの収穫物係止搬送装置４５のうちの機体横方向に隣り合って位置する一対の収穫物係止搬送装置４５、及び各収穫物係止搬送装置４５の下方に設けた収穫ロール６３を備えている。
６つの収穫物係止搬送装置４５の搬送終端側は、支持フレーム４７に支持されている。
【００５６】
横送りオーガ４４は、３つの収穫装置４３の後方で横送りフレーム部４６の左右一対の横縦壁板４６ｂによって回転自在に支持してある。横送りフレーム部４６は、横送りオーガ４４の下方に位置する横送りデッキ４６ｃを支持している。横送りフレーム部４６の後縦壁板４６ａに供給口４６ｄを設けてある。
【００５７】
図１２，１４に示すように、６つの収穫物係止搬送装置４５のうちの両横端の収穫物係止搬送装置４５Ａは、支持フレーム４７に後端部が支持された機体前後向きの搬送装置フレーム５１と、この搬送装置フレーム５１の前端部に機体横外側方に向けて延設した延設フレーム１７と、延設フレーム１７に設けた張力付与装置８８Ａに機体上下向き軸芯まわりに回転自在に支持された始端側回転輪体５２と、搬送装置フレーム５１の後端部に機体上下向き軸芯まわりに回転自在に支持された終端側回転輪体５３と、終端側回転輪体５３と始端側回転輪体５２の間で搬送装置フレーム５１に機体上下向き軸芯まわりに回転自在に支持されたガイド輪体５４と、各輪体５２，５３，５４に巻き掛けられた無端回動体５５とを備えている。
【００５８】
６つの収穫物係止搬送装置４５のうちの両横端の収穫物係止搬送装置４５Ａを除く４つの内側の収穫物係止搬送装置４５Ｂは、支持フレーム４７に後端部が支持された機体前後向きの搬送装置フレーム５１と、この搬送装置フレーム５１の前端部に設けた張力付与装置８８Ｂが備える機体上下向き軸芯まわりに回転自在な始端側回転輪体５２と、搬送装置フレーム５１の後端部に機体上下向き軸芯まわりに回転自在に支持された終端側回転輪体５３と、終端側回転輪体５３と始端側回転輪体５２の間で搬送装置フレーム５１に機体上下向き軸芯まわりに回転自在に支持されたガイド輪体５４と、各輪体５２，５３，５４に巻き掛けられた無端回動体５５とを備えている。
【００５９】
各収穫物係止搬送装置４５Ａ，４５Ｂは、駆動ケース５７に収容してあるベベルギヤを利用した図示しない駆動機構によって終端側回転輪体５３を回転駆動するよう構成してある。
機体横方向両側の収穫装置４３を構成する一対の収穫物係止搬送装置４５Ａ，４５Ｂ及 び機体横方向中央の収穫装置４３を構成する一対の収穫物係止搬送装置４５Ｂ，４５Ｂにおける駆動ケース５７は、一対の収穫物係止搬送装置４５Ａ，４５Ｂ及び一対の収穫物係 止搬送装置４５Ｂ，４５Ｂに共用の駆動ケース５７になっており、二つの終端側回転輪体５３，５３を駆動自在に支持している。
【００６０】
各収穫物係止搬送装置４５における無端回動体５５の長手方向での複数箇所に収穫物係止搬送突部５６を設けてあり、収穫物係止搬送突部５６によってとうもろこしを機体後方向きに係止搬送する。
【００６１】
図１４に示すように、各収穫物係止搬送装置４５の下方に位置する収穫ロール６３は、駆動ケース５７から機体前方向きに延出している。収穫ロール６３は、収穫ロール６３の前部に位置する螺旋形状の掻込み羽根を有した掻き込みロール部６４と、掻き込みロール部６４より搬送方向下手側に位置する帯板状の収穫羽根を有した収穫ロール部６５とを備えている。
【００６２】
各収穫装置４３を構成する一対の収穫ロール６３は、収穫装置４３の茎稈導入口４５ａに入り込んだとうもろこし植物体を掻き込みロール部６４の掻込み羽根によって搬送経路５８に掻き込み導入し、搬送経路５８に導入したとうもろこし植物体の茎稈を収穫ロール部６５の収穫羽根によって掻き下げ操作する。このとき、とうもろこしは、搬送装置フレーム５１によって下から受け止め支持されることにより、収穫ロール６３は、とうもろこしをとうもろこし植物体の茎稈からちぎり取って収穫する。
【００６３】
３つの収穫装置４３において収穫したとうもろこしを、収穫物係止搬送装置４５の無端回動体５５によって後方に係止搬送して横送りフレーム部４６に送り込む。横送りフレーム部４６に送り込んだとうもろこしを、横送りオーガ４４によって横送りデッキ４６ｃに沿わせて送出部３７の前に横送りし、送出部３７の前に来たとうもろこしを、横送りオーガ４４に一体回転自在に設けてある板状の掻送り体６６（図１５参照）によって供給口４６ｄから送出部３７の左右一対の連結フレーム（送出部フレーム）３７ａ，３７ａの間に送り込み、送出部３７においてフィーダ６の投入口７１に供給する。
【００６４】
張力付与装置８８Ａ，８８Ｂは、無端回動体５５に駆動が適切となる張力を備える張り状態に張り操作するものである。
図１３に示すように、両横端の収穫物係止搬送装置４５Ａが有する張力付与装置８８Ａは、始端側回転輪体５２を機体上下向き軸芯まわりに回転自在に支持する支持ロッド１１３と、延設フレーム１７に溶接などで固定された平面視でコの字状の支持枠１１４と、支持ロッド１１３と支持枠１１４とに亘って設けた張力付与部８５とを備えている。
支持枠１１４は、その板面が延設フレーム１７の板面に対して直交する姿勢で延設フレーム１７に固定してある。
【００６５】
張力付与部８５は、前端部が支持ロッド１１３の後端に固定された機体前後向きの操作ロッド８６と、操作ロッド８６に外嵌された圧縮スプリング８７とを備え、操作ロッド８６の後端側は、支持枠１１４のロッド長手方向で互いに対向する対向板部分１１４ａ，１１４ｂのうちの機体後方側の対向板部分１１４ａに摺動自在に挿通されている。
圧縮スプリング８７は、操作ロッド８６に設けた筒形のバネ受け体８６ｂと後方側の対向板部分１１４ａとの間に圧縮変形状態で装着され、後方側の対向板部分１１４ａを反力部材にしてバネ受け体８６ｂに押圧作用して、支持ロッド１１３を介して始端側回転輪体５２を機体前方側に向けて移動付勢する。
【００６６】
支持枠１１４は、前後の対向板部分１１４ａ，１１４ｂの間の中間板部分１１４ｃの板面を、無端回動体５５のうちの、始端側回転輪体５２からガイド輪体５４に移動する無端回動体部分５５ａに沿うように対向させて、無端回動体部分５５ａの中間板部分１１４ｃとの接当により、その無端回動体部分５５ａに設けてある収穫物係止搬送突部５６の機体横外方に向けて変位を抑制してある。
したがって、収穫装置４３の茎稈導入口４５ａに入り込んだとうもろこし植物体を、収穫物係止搬送突部５６で搬送経路５８に効率良く掻き集めることができる。
【００６７】
支持ロッド１１３の先端部には、始端側回転輪体５２を軸受け３４を介して機体上下向き軸芯まわりに回転自在に支持する側面視でコの字状の支持ブラケット１０を一体に設けてある。
支持ブラケット１０は、互いに対向する対向板部１０ａ，１０ｂを上下に位置させて、対向板部１０ａ，１０ｂの間の中間板部１０ｃを支持ロッド１１３の先端部に溶接などで固定してある。
支持ブラケット１０の内側には、下側の対向板部１０ｂと中間板部１０ｃとに亘って溶接固定した補強材兼用の板状の巻き付き防止部材１０ｅを設けてある。
この巻き付き防止部材１０ｅは、支持ブラケット１０の変形を防止しながら、始端側回転輪体５２と下側の対向板部１０ｂとの間に入り込む茎稈等の始端側回転輪体５２への巻き付きを防止する。
【００６８】
延設フレーム１７は、支持枠１１４を固定してある支持枠固定部分１７ａよりも機体前方側の前方側部分１７ｂが支持枠固定部分１７ａよりもよりも低くなるように段差を設けてある。
延設フレーム１７の前方側部分１７ｂには、機体前後方向に長い長孔１７ｃを貫通形成してある。
【００６９】
支持ブラケット１０は、下側の対向板部１０ｂの下面側に固定した矩形板状のスペーサ１０ｄを介して前方側部分１７ｂに載置支持される状態で、互いに摺動自在に保持してある。
始端側回転輪体５２の回転支軸５２ａは頭付きボルトで構成してあり、下側の対向板部１０ｂから上側に対向板部１０ａに亘って挿通して、ナット５２ｂで支持ブラケット１０に固定してある。
回転支軸５２ａは、頭付きボルトの頭部分と下側の対向板部分１０ｂとの間に円筒状のスペーサ５２ｃを介在させて固定してあり、軸部分を延設フレーム１７の前方側部分１７ｂに形成した長孔１７ｃに挿通して、頭部分を前方側部分１７ｂの下側に突出させてある。
【００７０】
延設フレーム１７の前方側部分１７ｂの上面側には、スペーサの前方側部分１７ｂに対する機体前後方向の摺動移動を案内する左右一対のガイド９０を固定してある。
ガイド９０は、スペーサ１０ｄの上面側に対向するガイド面を形成する横板部分９０ａと、前方側部分１７ｂに固定する縦板部分９０ｂとを一体に備えたＬ字状の断面形状に形成してある。
ガイド９０は、前方側部分１７ｂに形成した嵌合長孔１７ｄに貫通するように縦板部分９０ｂを嵌め込んで、縦板部分９０ｂの外面側と前方側部分１７ｂの表面側とに亘る隅肉溶接と、縦板部分９０ｂの内面側と前方側部分１７ｂの裏面側とに亘る隅肉溶接とで前方側部分１７ｂに固定してある。
【００７１】
図１５，１６に示すように、横送りフレーム部４６における一方の横縦壁板４６ｂの後端側に後縦壁板４６ａから後方に突出する突出部を設け、この突出部に形成した貫通孔に後述する中間伝動軸１６４を挿通してある。
一方の横縦壁板４６ｂの前端側に形成した貫通孔に、３つの収穫装置４３が有する駆動ケース５７の入力軸５７ａと一体回転する収穫入力軸１６７を挿通してある。
隣り合う入力軸５７ａどうしは連動軸５７ｂによって連動させてある。
【００７２】
収穫部フレーム４２は、収穫前処理装置Ｂを接地支持する左右一対の接地スタンド１０５を、上昇格納姿勢と下降使用姿勢とに昇降切り換え自在に支持している。
接地スタンド１０５は、横送りフレーム部４６に枢支された基部側スタンド部１０５ａと、基部側スタンド部１０５ａに伸縮自在に支持され、脱着自在なロックピン１０７によって調節位置に固定されるように構成した接地側スタンド部１０５ｂとを備えている。
【００７３】
図１７に示すように、左右一対の接地スタンド１０５を下降使用姿勢に切り換えると、収穫前処理装置Ｂは、左右一対の接地スタンド１０５及び接地ソリ９によって脱着姿勢で接地支持される。すなわち、走行機体Ａから取り外した収穫前処理装置Ｂを、連結フレーム３７ａの後部に設けてある支点軸４１が走行機体Ａの支持部４０と同じ配置高さに位置する接地姿勢で支持することができる。
【００７４】
収穫前処理装置Ｂの支持部４０に対する着脱操作は、図１７に示すように、左右一対の接地スタンド１０５及び接地ソリ９によって接地支持した状態の収穫前処理装置Ｂに対して、走行機体Ａを前後進移動させることにより行う。
このために、図６に示すように、支持部４０の夫々に側面視でコの字状に形成した支持部材１１０を支柱フレーム材１２ａに固定すると共に、支持部材１１０の夫々に嵌合させる一対の嵌合部材１１１に支点軸４１を相対回転自在に嵌入して、収穫前処理装置Ｂを固定ボルト１１２で支持部４０に対して着脱自在に連結してある。
【００７５】
支持部材１１０は、支点軸４１を水平方向に沿わせて嵌合部材１１１を機体前方側から機体後方側に向けて受け入れ可能な受け入れ口１１０ａを有する側面視でコの字状に形成してあり、受け入れ口１１０ａを機体前方に向けて対向片１１０ｂが上下に位置する姿勢で支柱フレーム材１２ａに固定してある。
【００７６】
図８（ａ）に示すように、嵌合部材１１１は、支持部材１１０の内側に対して板面に沿う方向から嵌合させる矩形板状に形成してあり、支点軸４１を嵌入させる円形の嵌入孔１１１ａを貫通形成してある。
嵌合部材１１１の嵌合方向前方側の一側辺部分には、支持部材１１０の内側に嵌合する際の案内面１１ｂを上下に形成してあり、嵌合方向後方側の他側辺部分には、固定ボルト保持用の断面が円弧状のボルト溝１１１ｃを上下方向に沿わせて形成してある。
支持部材１１０に嵌合した嵌合部材１１１は、支持部材１１０の上下の対向片１１ｂに亘って嵌合部材１１１のボルト溝１１１ｃに嵌り込むように挿通した固定ボルト１１２で支持部材１１０に固定してある。
【００７７】
収穫前処理装置Ｂを走行機体Ａから取り外した状態において、図８（ｂ）に示すように、嵌合部材１１１が、案内面１１１ｂが上下に位置し、かつ、ボルト溝１１１ｃが鉛直方向に沿う略一定姿勢で支点軸４１に自重で保持されるように、支点軸４１の嵌入孔１１１ａを、その中心Ｘを嵌合部材１１１の重心位置Ｇの直上方位置に位置させて貫通形成してある。
したがって、接地支持した状態の収穫前処理装置Ｂに対して走行機体Ａを前進移動させることにより、支点軸４１に嵌入した嵌合部材１１１を支持部材１１０に嵌合する際に、嵌合部材１１１の姿勢を安定させて作業性良く支持部材１１０に嵌合させることができる。
【００７８】
フィーダ６について説明する。
図１〜４に示すように、フィーダ６は、機体後方側（搬送方向下手側）ほど機体上方側に位置する後上がり傾斜の姿勢で走行機体Ａの横方向での中央部に配備してあり、図１６，１９，２０に示すように、機体前後方向に長いフィーダケース７０と、このフィーダケース７０の内部に駆動回動自在に設けたフィーダコンベヤ７２とを備えている。
フィーダケース７０は、底板７０ａと左右一対の横側板７０ｂと天板７０ｃとを備えた、縦断面形状が矩形の筒状に形成してある。
【００７９】
フィーダコンベヤ７２は、フィーダケース７０の搬送始端部内に回転支軸７６を介して回転自在に支持される左右一対の始端側輪体７６ａ及びフィーダケース７０の搬送終端部内にフィーダ入力軸７７を介して回転自在に支持される左右一対の終端側輪体７７ａに巻き掛けられた左右一対の無端回動体７８と、無端回動体７８の長手方向での複数箇所で左右一対の無端回動体７８に装着された搬送板７８ａとを備えている。
フィーダ入力軸７７は、フィーダケース７０の両横外側に振り分け配置した左右一対の張力調整体７９を介してフィーダケース７０の横側板７０ｂに支持されている。
【００８０】
フィーダコンベヤ７２は、フィーダ入力軸７７によって回転駆動される左右一対の終端側輪体７７ａによって回転駆動され、収穫前処理装置Ｂから投入口７１に供給されてフィーダケース７０の搬送始端部内に入ったとうもろこしを、フィーダコンベヤ７２によってフィーダケース７０の内部を搬送案内板７０ｄの上面側に沿わせて搬送し、フィーダケース７０の後端部（搬送終端部）に設けてある収穫物放出口７０ｆから回収タンク７に放出する。
【００８１】
図１９，２０に示すように、フィーダ６の搬送終端部の下方に排塵ファン装置１２０を配備してある。排塵ファン装置１２０は、ファンケース１２１と、ファンケース１２１の内部に回転支軸１２２を介して回転自在に設けた回転ファン１２３とを備えている。
【００８２】
排塵ファン装置１２０は、ファンケース１２１の両横外側に位置する取付け板１２４を介して左右一対の支柱７５，７５及びフィーダケース７０に支持されている。回転支軸１２２は、走行機体横向きの姿勢で回転自在に支持されている。
【００８３】
排塵ファン装置１２０は、回転支軸１２２によって回転ファン１２３が回転駆動されることにより、ファンケース外の空気をファンケース１２１の横側壁に設けてある吸気口からファンケース内に吸引して排塵風を発生させ、発生した排塵風をファンケース１２１の送風口１２１ａからフィーダ６の収穫物放出口７０ｆに後方上方向きに供給し、収穫物放出口７０ｆから放出されたとうもろこしに混在する葉屑などの塵埃を排塵風によって後方向きに飛ばして除去する。
【００８４】
図１９，２０に示すように、フィーダ６によってとうもろこしに混入して搬送された稈身を主として細断処理して後方に放出する処理装置１３０をフィーダ６の後部に連結してある。
処理装置１３０は、フィーダケース７０の後端部位であって、収穫物放出口７０ｆを形成している部位７０ｒに前端部が連結した処理ケース１３１と、処理ケース１３１の内部のフィーダ６の収穫物放出口７０ｆより後方に位置する箇所に設けた一対の掻込み回転体１３２，１３２と、一対の掻込み回転体１３２，１３２の後方に配備した細断処理部１３５とを備えている。処理ケース１３１は、フィーダ６の後端６ｂ（フィーダケース７０の後端）が処理ケース１３１の内部に入り込む状態でフィーダケース７０に連結している。
【００８５】
一対の掻込み回転体１３２，１３２は、処理ケース１３１の横外側に配置して一対の掻込み回転体１３２，１３２の回転支軸１３３の端部に装着してあるギヤ連動機構１４０によって逆回転方向に回転駆動される。
ギヤ連動機構１４０は、一対の掻込み回転体１３２の回転支軸１３３の補助作業者搭乗デッキ２３が位置する側とは反対側の端部に装着してある。ギヤ連動機構１４０は、一方の掻込み回転体１３２の回転支軸１３３に一体回転自在に設けたギヤ１４１と、このギヤ１４１に咬み合う状態で他方の掻込み回転体１３２の回転支軸１３３に一体回転自在に設けたギヤ１４２とを備えている。
【００８６】
細断処理部１３５は、掻込み回転体１３２によって供給された稈身を、処理ケース１３１の内部で回転駆動される回転刃１３６と、回転刃１３６の回転域の外側近くに配置して処理ケース１３１の内部に固定された固定刃１３７とによって細断する。
細断稈身は、回転刃１３６の回転による放出作用により、回転刃１３６の回転域の外周囲に配備してある放出ガイド体１３８に沿わせて排出口１３１ａに移送されて後方上方向きに放出される。排出口１３１ａから飛散した細断稈身は、排出口１３１ａの上方に位置する傾斜ガイド板１３９による案内を受けて後方下方向き放出される。
【００８７】
処理装置１３０は、処理ケース１３１を構成する左右のケース側板１３１ａの夫々をフィーダケース７０の左右の横側板７０ｂに三本のボルト６０ａ，６０ｂで締め付けて、フィーダケース７０に固定してある。
三本のボルト６０ａ，６０ｂはフィーダケース７０の横側板７０ｂに直線状に並べて形成したボルト孔に挿通してあり、三本のボルト６０ａ，６０ｂのうちの最下端に位置するボルト６０ａは、ケース側板１３１ａに形成したボルト孔に相対回転自在に挿通してあり、残りの二本のボルト６０ｂは、ケース側板１３１ａに切欠き状に形成した長溝６０ｄにボルト径方向から挿脱自在に入り込ませてある。
【００８８】
したがって、処理装置１３０は、後述するフィーダ及び処理装置用の伝動機構１７３ｂの伝動チェーン１７５を処理装置１３０の入力軸１３３から外した状態で三本のボルト６０ａ，６０ｂを緩めることにより、図２０に示すように、最下端のボルト６０ａを揺動支点にして機体後方側に向けて下向きに揺動させることができる。
このため、とうもろこし収穫機の輸送などの際に、機体後方側に向けて下向きに揺動させた姿勢の処理装置１３０を、三本のボルト６０ａ，６０ｂでフィーダケース７０に仮固定することにより、とうもろこし収穫機の最大高さを低くしておくことができる。
【００８９】
伝動系について説明する。
図２１は、伝動系統図である。この図に示すように、エンジン４の出力軸４ａの駆動力を走行伝動機構１６０によって走行ミッション１５の入力軸１６に伝達するように構成してある。走行伝動機構１６０は、エンジン４の出力軸４ａと走行ミッション１５の入力軸１６とに亘って巻き掛けられた複数本の伝動ベルト１６０ａを備えている。
【００９０】
エンジン４の出力軸４ａの駆動力をカウンタ伝動機構１６１によってカウンタ軸１６２に伝達し、カウンタ軸１６２の駆動力を、カウンタ軸１６２の一端部に連結された収穫伝動機構１６３によって収穫前処理装置Ｂの中間伝動軸１６４の一端部に伝達するように構成し、カウンタ軸１６２の駆動力を、カウンタ軸１６２の一端部に連結された後部用伝動機構１７３によって排塵ファン装置１２０、フィーダ６及び処理装置１３０に伝達し、カウンタ軸１６２の駆動力を、カウンタ軸１６２の他端部に連結された残稈伝動機構１７７によって残稈処理装置Ｃに伝達するように構成してある。
【００９１】
図１，２に示すように、カウンタ軸１６２は、エンジン４の下方に機体横向きに配備してある。カウンタ伝動機構１６１は、カウンタ軸１６２の機体横方向中央部に連結してあり、エンジン４の出力軸４ａとカウンタ軸１６２とに巻き掛けた複数本の伝動ベルト１６１ａを備えている。
【００９２】
収穫伝動機構１６３は、カウンタ軸１６２のエンジン４が位置する側とは反対の機体横端側に位置する端部に連結され、フィーダ６に対してエンジン４が位置する側とは反対側に配備されている。
【００９３】
図１５，２１に示すように、収穫伝動機構１６３は、カウンタ軸１６２と支点軸４１の端部に回転自在に支持される出力回転体１６８とに巻き掛けられた伝動チェーン１６９を備えた伝動上手側の伝動機構１６３ａと、中間伝動軸１６４に相対回転自在に設けたチェーンスプロケット１７１及びこのチェーンスプロケット１７１と出力回転体１６８に巻き掛けられた伝動チェーン１７０を備えた伝動下手側の伝動機構１６３ｂと、チェーンスプロケット１７１と中間伝動軸１６４とに亘って設けたトルクリミッタ１７２とを備えている。
【００９４】
図１５に示すように、収穫前処理装置Ｂの中間伝動軸１６４は、収穫部フレーム４２の背後に機体横向きに配置して、出力回転体１６８の回転動力が伝達される収穫部３６の入力軸として設けてある。
中間伝動軸１６４は、トルクリミッタ１７２が位置する側とは反対側の端部に連結された収穫部伝動機構６０によってオーガ入力軸４４ａと収穫入力軸１６７とに連動されている。
【００９５】
図１５，１７，２１に示すように、収穫部伝動機構６０は、中間伝動軸１６４と一体回転する中間回転体としての中間チェーンスプロケット６１ａと、収穫入力軸１６７と一体回転する収穫入力回転体としての収穫入力チェーンスプロケット６１ｂと、オーガ入力軸４４ａと一体回転するオーガ入力回転体としてのオーガ入力チェーンスプロケット６１ｃとに亘って無端回動体としての伝動チェーン１６６を巻き掛けて、伝動チェーン１６６の矢印ａで示す方向への回動移動で収穫入力軸１６７及びオーガ入力軸４４ａに駆動力を伝達するように構成してある。
【００９６】
図１５に示すように、オーガ入力軸４４ａは、横送りオーガ４４の回転軸の一端部に一体回転自在に設けてある。収穫入力軸１６７は、３つの駆動ケース５７のうちの横端の駆動ケース５７の入力軸５７ａに一体回転自在に設けてある。
従って、収穫部伝動機構６０によって、中間伝動軸１６４の回転動力が各収穫物係止搬送装置４５及び各収穫ロール６３の駆動機構５０と横送りオーガ４４とに伝達される。
【００９７】
オーガ入力チェーンスプロケット６１ｃは、収穫入力チェーンスプロケット６１ｂよりも大径に形成して、スプロケット径方向で中間チェーンスプロケット６１ａと収穫入力チェーンスプロケット６１ｂとで上下方向から挟まれる位置に配設して、伝動チェーン１６６のうちの収穫入力チェーンスプロケット６１ｂから中間チェーンスプロケット６１ａに至る回動経路における伝動チェーン部分に巻き掛けて配設してある。
【００９８】
伝動チェーン１６６のうちの収穫入力チェーンスプロケット６１ｂからオーガ入力チェーンスプロケット６１ｃに至る回動経路における伝動チェーン部分を伝動チェーン１６６の回動経路の内側に向けて屈曲するように案内する第１案内回転体としての第１案内チェーンスプロケット６１ｄを設けてある。
【００９９】
伝動チェーン１６６のうちの中間チェーンスプロケット６１ａから収穫入力チェーンスプロケット６１ｂに至る回動経路における伝動チェーン部分に回動経路の外周側から張力を付与する張力回転体としての張力チェーンスプロケット６１ｅと、その伝動チェーン部分を、張力チェーンスプロケット６１ｅと収穫入力チェーンスプロケット６１ｂとの間の位置で、伝動チェーン１６６の回動経路の外側に向けて屈曲するように案内する第２案内回転体としての第２案内チェーンスプロケット６１ｆとを設けてある。
【０１００】
張力チェーンスプロケット６１ｅは、中間チェーンスプロケット６１ａとオーガ入力チェーンスプロケット６１ｃとで上下方向から挟まれる位置に配設してある。
第１案内チェーンスプロケット６１ｄは、収穫入力チェーンスプロケット６１ｂとオーガ入力チェーンスプロケット６１ｃとで上下方向から挟まれる位置に配設してある。
第２案内チェーンスプロケット６１ｆは、張力チェーンスプロケット６１ｅとオーガ入力チェーンスプロケット６１ｃとで上下方向から挟まれる高さ位置に配設してある。
【０１０１】
図１８，１９，２１に示すように、後部用伝動機構１７３は、カウンタ軸１６２と排塵ファン装置１２０における回転ファン１２３の回転支軸１２２とに巻き掛けられた伝動チェーン１７４を備えたファン伝動機構１７３ａと、回転ファン１２３の回転支軸１２２、フィーダ６のフィーダ入力軸７７及び処理装置１３０の入力軸１３３に巻き掛けられた伝動チェーン１７５を備えたフィーダ６及び処理装置１３０用の伝動機構１７３ｂを備えている。
【０１０２】
従って、排塵ファン装置１２０の回転ファン１２３には、後部用伝動機構１７３の上手側部分を構成するファン伝動機構１７３ａによってカウンタ軸１６２の駆動力が伝達される。
【０１０３】
ファン伝動機構１７３ａは、収穫伝動機構１６３と同様に、カウンタ軸１６２のエンジン４が位置する側とは反対の機体横端側に位置する端部に連結され、フィーダ６に対してエンジン４が位置する側とは反対側に配備されている。フィーダ及び処理装置用の伝動機構１７３ｂは、フィーダ６のフィーダ入力軸７７の補助作業者搭乗デッキ２３が位置する側とは反対側の端部に連結され、フィーダ６に対して補助作業者搭乗デッキ２３が位置する側とは反対側に配備されている。
【０１０４】
図１９，２１に示すように、フィーダ及び処理装置用の伝動機構１７３ｂを構成する伝動チェーン１７５は、掻込み回転体１３２の回転支軸１３３で成る処理装置１３０の入力軸１３３に巻き掛けられている。処理装置１３０の入力軸１３３と回転刃１３６の回転支軸１３６ａに伝動チェーン１７６が巻き掛けられている。
【０１０５】
〔第２実施形態〕
図２２は、本発明による収穫機の別実施形態を示す。
本実施形態では、処理装置１３０のフィーダケース７０に対する固定構造が第１実施形態と異なっている。
すなわち、処理装置１３０の処理ケース１３１を構成する左右のケース側板１３１ａの夫々をフィーダケース７０の左右の横側板７０ｂに固定する三本のボルト６０ａ，６０ｂはフィーダケース７０の横側板７０ｂに直線状に並べて形成したボルト孔に挿通してあり、三本のボルト６０ａ，６０ｂのうちの中央のボルト６０ａを除く両端の二本のボルト６０ｂは、ケース側板１３１ａに形成した長孔６０ｃに挿通してある。各長孔６０ｃは、中央のボルト６０ａを中心とする円弧状に形成してある。
【０１０６】
したがって、処理装置１３０は、フィーダ及び処理装置用の伝動機構１７３ｂの伝動チェーン１７５を処理装置１３０の入力軸１３３から外した状態で三本のボルト６０ａ，６０ｂを緩めることにより、図２２に示すように、中央のボルト６０ａを揺動支点にして機体後方側に向けて下向きに揺動させることができる。
このため、とうもろこし収穫機の輸送などの際に、機体後方側に向けて下向きに揺動させた姿勢の処理装置１３０を、三本のボルト６０ａ，６０ｂでフィーダケース７０に仮固定することにより、とうもろこし収穫機の最大高さを低くしておくことができる。
その他の構成は第１実施形態と同様である。
【０１０７】
〔その他の実施形態〕
１．本発明による収穫機は、ラジエータ２５と冷却ファン２６とを、エンジン４の機体横方向における中心位置よりも機体内方側の位置に配備してあってもよ。
２．本発明による収穫機は、冷却ファン２６を、その回転軸芯を機体前後方向に沿わせて配備してあってもよい。
３．本発明による収穫機は、ファン駆動軸２６ａと一体回転する入力回転体３３ｄと、エンジン出力軸４ｂと一体回転するエンジン側回転体とに亘って無端回動体を巻き掛けて、回転動力をファン駆動軸２６ａに伝達可能に構成してあってもよい。
４．本発明による収穫機は、エンジン４とラジエータ２５と冷却ファン２６の全部又は一部を走行機体Ａに各別に組み付けてあってもよい。
【産業上の利用可能性】
【０１０８】
本発明は、とうもろこしを収穫対象とする収穫前処理装置に替え、稲、麦など各種の作物部を収穫対象とする収穫前処理装置を備える収穫機にも利用可能である。
【符号の説明】
【０１０９】
４  エンジン
４ｂ  エンジン出力軸
６  フィーダ
１６ｂ  無端回動体
２５  ラジエータ
２６  冷却ファン
２６ａ  ファン駆動軸
３３  伝動軸
３３ｃ  伝動回転体
３３ｄ  入力回転体
２７ａ  防塵網
２９  フィルタユニット
３０，３２  クリーナ
３８  マフラー
Ａ  走行機体
Ｂ  収穫前処理装置
Ｕ  エンジンユニット
【図１】
2013188143.tif 000003
【図２】
2013188143.tif 000004
【図３】
2013188143.tif 000005
【図４】
2013188143.tif 000006
【図５】
2013188143.tif 000007
【図６】
2013188143.tif 000008
【図７】
2013188143.tif 000009
【図８】
2013188143.tif 000010
【図９】
2013188143.tif 000011
【図１０】
2013188143.tif 000012
【図１１】
2013188143.tif 000013
【図１２】
2013188143.tif 000014
【図１３】
2013188143.tif 000015
【図１４】
2013188143.tif 000016
【図１５】
2013188143.tif 000017
【図１６】
2013188143.tif 000018
【図１７】
2013188143.tif 000019
【図１８】
2013188143.tif 000020
【図１９】
2013188143.tif 000021
【図２０】
2013188143.tif 000022
【図２１】
2013188143.tif 000023
【図２２】
2013188143.tif 000024